【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かの判定を行うための判定情報を記憶可能な記憶手段と、
所定の演出を行う演出実行手段と、を備え、
前記演出実行手段は、
前記記憶手段に前記判定情報が記憶されていることを示す保留図柄を表示手段に表示させるとともに、前記保留図柄の表示態様を変化させることが可能であり、
前記保留図柄の表示態様が変化される前に、表示態様が変化する可能性があることを示唆する前兆演出を行うことを可能にし、
前記判定が行われると所定の特別演出を行うことがあり、
前記前兆演出は、前記特別演出が行われていないときに行われることがあって、互いに演出態様が異なる第１の前兆演出と第２の前兆演出とがあり、
前記第１の前兆演出又は前記第２の前兆演出は、前記第１の前兆演出と前記第２の前兆演出とが同時に行われ難い又は行われないように規制されており、
前記演出実行手段は、前記第２の前兆演出を行った後、前記判定情報に基づいて、前記保留図柄を前記特別遊技が行われる可能性が高いことを示唆する第１の表示態様に変化させることが可能であり、前記第１の前兆演出を行った後、前記判定情報に基づいて、前記保留図柄を前記第１の表示態様よりも前記特別遊技が行われる可能性が高いことを示唆する第２の表示態様に変化させることが可能であり、
前記第１の前兆演出が行われたとき、前記第２の前兆演出は、前記第１の前兆演出が行われなかったときよりも行われ難い又は行われず、
前記演出実行手段は、前記保留図柄を所定の表示領域に表示した後に前記保留図柄の表示位置を前記表示領域から移動させることが可能であって、前記保留図柄の表示態様を前記移動の際に変化させることがあり、
前記移動の際の変化に対しては前記前兆演出が非実行とされる
ことを特徴とする遊技機。
【請求項２】
遊技者に有利な特別遊技を行うか否かの判定を行うための判定情報を記憶可能な記憶手段と、
所定の演出を行う演出実行手段と、を備え、
前記演出実行手段は、
前記記憶手段に前記判定情報が記憶されていることを示す保留図柄を表示手段に表示させることが可能であり、
前記保留図柄によって示された前記判定情報に対して前記判定が行われた後においても前記保留図柄と同じ又は異なる疑似保留図柄を前記表示手段に表示させるとともに、前記疑似保留図柄の表示態様を変化させることが可能であり、
前記疑似保留図柄の表示態様が変化される前に、表示態様が変化する可能性があることを示唆する前兆演出を行うことを可能にし、
前記判定が行われると所定の特別演出を行うことがあり、
前記前兆演出は、前記特別演出が行われていないときに行われることがあって、互いに演出態様が異なる第１の前兆演出と第２の前兆演出とがあり、
前記第１の前兆演出又は前記第２の前兆演出は、前記第１の前兆演出と前記第２の前兆演出とが同時に行われ難い又は行われないように規制されており、
前記演出実行手段は、前記第２の前兆演出を行った後、前記判定情報に基づいて、前記疑似保留図柄を前記特別遊技が行われる可能性が高いことを示唆する第１の表示態様に変化させることが可能であり、前記第１の前兆演出を行った後、前記判定情報に基づいて、前記疑似保留図柄を前記第１の表示態様よりも前記特別遊技が行われる可能性が高いことを示唆する第２の表示態様に変化させることが可能であり、
前記第１の前兆演出が行われたとき、前記第２の前兆演出は、前記第１の前兆演出が行われなかったときよりも行われ難い又は行われず、
前記演出実行手段は、特定の保留図柄によって示された前記判定情報に対し前記判定が行われたことに対応して前記疑似保留図柄の表示を開始させる際、その疑似保留図柄の表示態様を、前記特定の保留図柄の表示態様から変化させることがあり、
その変化に対しては前記前兆演出が非実行とされる
ことを特徴とする遊技機。
【手続補正２】
【補正対象書類名】明細書
【補正対象項目名】０００７
【補正方法】変更
【補正の内容】
【０００７】
本発明に係る遊技機は、遊技者に有利な特別遊技を行うか否かの判定を行うための判定情報を記憶可能な記憶手段と、所定の演出を行う演出実行手段と、を備え、前記演出実行手段は、前記記憶手段に前記判定情報が記憶されていることを示す保留図柄を表示手段に表示させるとともに、前記保留図柄の表示態様を変化させることが可能であり、前記保留図柄の表示態様が変化される前に、表示態様が変化する可能性があることを示唆する前兆演出を行うことを可能にし、前記判定が行われると所定の特別演出を行うことがあり、前記前兆演出は、前記特別演出が行われていないときに行われることがあって、互いに演出態様が異なる第１の前兆演出と第２の前兆演出とがあり、前記第１の前兆演出又は前記第２の前兆演出は、前記第１の前兆演出と前記第２の前兆演出とが同時に行われ難い又は行われないように規制されており、前記演出実行手段は、前記第２の前兆演出を行った後、前記判定情報に基づいて、前記保留図柄を前記特別遊技が行われる可能性が高いことを示唆する第１の表示態様に変化させることが可能であり、前記第１の前兆演出を行った後、前記判定情報に基づいて、前記保留図柄を前記第１の表示態様よりも前記特別遊技が行われる可能性が高いことを示唆する第２の表示態様に変化させることが可能であり、前記第１の前兆演出が行われたとき、前記第２の前兆演出は、前記第１の前兆演出が行われなかったときよりも行われ難い又は行われず、前記演出実行手段は、前記保留図柄を所定の表示領域に表示した後に前記保留図柄の表示位置を前記表示領域から移動させることが可能であって、前記保留図柄の表示態様を前記移動の際に変化させることがあり、前記移動の際の変化に対しては前記前兆演出が非実行とされることを特徴とする。
【手続補正３】
【補正対象書類名】明細書
【補正対象項目名】０００８
【補正方法】変更
【補正の内容】
【０００８】
本発明に係る他の遊技機は、遊技者に有利な特別遊技を行うか否かの判定を行うための判定情報を記憶可能な記憶手段と、所定の演出を行う演出実行手段と、を備え、前記演出実行手段は、前記記憶手段に前記判定情報が記憶されていることを示す保留図柄を表示手段に表示させることが可能であり、前記保留図柄によって示された前記判定情報に対して前記判定が行われた後においても前記保留図柄と同じ又は異なる疑似保留図柄を前記表示手段に表示させるとともに、前記疑似保留図柄の表示態様を変化させることが可能であり、前記疑似保留図柄の表示態様が変化される前に、表示態様が変化する可能性があることを示唆する前兆演出を行うことを可能にし、前記判定が行われると所定の特別演出を行うことがあり、前記前兆演出は、前記特別演出が行われていないときに行われることがあって、互いに演出態様が異なる第１の前兆演出と第２の前兆演出とがあり、前記第１の前兆演出又は前記第２の前兆演出は、前記第１の前兆演出と前記第２の前兆演出とが同時に行われ難い又は行われないように規制されており、前記演出実行手段は、前記第２の前兆演出を行った後、前記判定情報に基づいて、前記疑似保留図柄を前記特別遊技が行われる可能性が高いことを示唆する第１の表示態様に変化させることが可能であり、前記第１の前兆演出を行った後、前記判定情報に基づいて、前記疑似保留図柄を前記第１の表示態様よりも前記特別遊技が行われる可能性が高いことを示唆する第２の表示態様に変化させることが可能であり、前記第１の前兆演出が行われたとき、前記第２の前兆演出は、前記第１の前兆演出が行われなかったときよりも行われ難い又は行われず、前記演出実行手段は、特定の保留図柄によって示された前記判定情報に対し前記判定が行われたことに対応して前記疑似保留図柄の表示を開始させる際、その疑似保留図柄の表示態様を、前記特定の保留図柄の表示態様から変化させることがあり、その変化に対しては前記前兆演出が非実行とされることを特徴とする。
【手続補正４】
【補正対象書類名】明細書
【補正対象項目名】０００９
【補正方法】変更
【補正の内容】
【０００９】
本発明に係る更に他の遊技機は、遊技者に有利な特別遊技を行うか否かの判定を行うための判定情報を記憶可能な記憶手段と、所定の演出を行う演出実行手段と、を備え、前記演出実行手段は、前記記憶手段に前記判定情報が記憶されていることを示す保留図柄を表示手段に表示させるとともに、前記保留図柄の表示態様を変化させることが可能であり、前記保留図柄の表示態様が変化される前に、表示態様が変化することを示唆する前兆演出を行うことを可能にし、前記前兆演出は、互いに演出態様が異なる第１の前兆演出と第２の前兆演出とがあり、前記第１の前兆演出と前記第２の前兆演出とが同時に行われたとき、前記保留図柄の表示態様が変化してから、更に表示態様が変化することを特徴とする。
上記構成の遊技機において、前記演出実行手段は、前記第２の前兆演出を行った後、前記判定情報に基づいて、前記保留図柄を第１の表示態様に変化させてから前記特別遊技が行われる可能性が高いことを示唆する第２の表示態様又は前記第２の表示態様よりも前記可能性が高いことを示唆する第３の表示態様に変化させることが可能である一方、前記第１の前兆演出を行った後、前記判定情報に基づいて、前記保留図柄を前記第１の表示態様に変化させることなく前記第２の表示態様又は前記第３の表示態様に変化させることが可能であり、前記第１の前兆演出と前記第２の前兆演出とが同時に行われたとき、前記保留図柄の表示態様が前記第２の表示態様に変化後、前記第１の表示態様に変化してから前記第３の表示態様に変化することが望ましい。
【手続補正５】
【補正対象書類名】明細書
【補正対象項目名】００１０
【補正方法】変更
【補正の内容】
【００１０】
本発明に係る更に他の遊技機は、遊技者に有利な特別遊技を行うか否かの判定を行うための判定情報を記憶可能な記憶手段と、所定の演出を行う演出実行手段と、を備え、前記演出実行手段は、前記記憶手段に前記判定情報が記憶されていることを示す保留図柄を表示手段に表示させることが可能であり、前記保留図柄によって示された前記判定情報に対して前記判定が行われた後においても前記保留図柄と同じ又は異なる疑似保留図柄を前記表示手段に表示させるとともに、前記疑似保留図柄の表示態様を変化させることが可能であり、前記疑似保留図柄の表示態様が変化される前に、表示態様が変化することを示唆する前兆演出を行うことを可能にし、前記前兆演出は、互いに演出態様が異なる第１の前兆演出と第２の前兆演出とがあり、前記第１の前兆演出と前記第２の前兆演出とが同時に行われたとき、前記疑似保留図柄の表示態様が変化してから、更に表示態様が変化することを特徴とする。
上記構成の遊技機において、前記演出実行手段は、前記第２の前兆演出を行った後、前記判定情報に基づいて、前記疑似保留図柄を第１の表示態様に変化させてから前記特別遊技が行われる可能性が高いことを示唆する第２の表示態様又は前記第２の表示態様よりも前記可能性が高いことを示唆する第３の表示態様に変化させることが可能である一方、前記第１の前兆演出を行った後、前記判定情報に基づいて、前記疑似保留図柄を前記第１の表示態様に変化させることなく前記第２の表示態様又は前記第３の表示態様に変化させることが可能であり、前記第１の前兆演出と前記第２の前兆演出とが同時に行われたとき、前記疑似保留図柄の表示態様が前記第２の表示態様に変化後、前記第１の表示態様に変化してから前記第３の表示態様に変化することが望ましい。